(57)【要約】【課題】かごでの保守点検の作業効率を向上させることができるエレベータ装置を得る。【解決手段】かご２には、かごガイドレールに案内されながらかごガイドレールに沿ってかご２を移動させるガイド装置１０，１１が設けられている。かご２の上部及び下部には整風カバー１３，１４が設けられている。整風カバー１３，１４は、かご用カバー１６，１９と、かご用カバー１６，１９に着脱可能に設けられ、ガイド装置１０，１１を覆うガイド用カバー１７，２０とを有している。かご２には、かご用カバー１６，１９から取り外されたガイド用カバー１７，２０を上下方向へ案内するカバーレール装置３１，３２が設けられている。【選択図】図１
2011162323.tif 000002
【特許請求の範囲】
【請求項１】
かご、
上記かごに設けられ、かごガイドレールに案内されながら上記かごガイドレールに沿って上記かごを移動させるガイド装置、
上記かごの上部及び下部の少なくともいずれかに設けられたかご用カバーと、上記かご用カバーに着脱可能に設けられ、上記ガイド装置を覆うガイド用カバーとを有する整風カバー、及び
上記かごに設けられ、上記かご用カバーから取り外された上記ガイド用カバーを上下方向へ案内するカバーレール装置
を備えていることを特徴とするエレベータ装置。
【請求項２】
上記かご用カバーの上記ガイド用カバーで覆われる部分には、開口部と、上記開口部を開閉する開閉蓋とが設けられていることを特徴とする請求項１に記載のエレベータ装置。
【請求項３】
上記かご用カバーから取り外された上記ガイド用カバーを上記カバーレール装置に保持する保持装置
をさらに備えていることを特徴とする請求項１又は請求項２に記載のエレベータ装置。
【発明の詳細な説明】
【技術分野】
【０００１】
この発明は、かごの周囲における気流の乱れを抑制する整風カバーがかごに設けられたエレベータ装置に関するものである。
【背景技術】
【０００２】
従来、かごの周囲における気流の乱れを抑制するために、かご室の上部及び下部のそれぞれに湾曲カバーを設けたエレベータが提案されている。かごには、昇降路内に設置されたガイドレールに案内されるガイドローラが設けられている。湾曲カバーには、ガイドローラでの気流の乱れを抑制するために、ガイドローラを覆う整流カバーが設けられている（例えば特許文献１参照）。
【先行技術文献】
【特許文献】
【０００３】
【特許文献１】特開平６−３２９３７２号公報
【発明の概要】
【発明が解決しようとする課題】
【０００４】
上記のような従来のエレベータでは、ガイドローラが整流カバーで覆われているので、ガイドローラに対する保守点検作業（例えばガイドローラの交換等）を行うときには、整流カバーを湾曲カバーから取り外す必要がある。しかし、取り外した整流カバーを置いておくためのスペースを確保する必要があり、保守点検作業を行うスペースが狭くなってしまう。これにより、保守点検の作業効率が低下してしまう。
【０００５】
この発明は、上記のような課題を解決するためになされたものであり、かごでの保守点検の作業効率を向上させることができるエレベータ装置を得ることを目的とする。
【課題を解決するための手段】
【０００６】
この発明に係るエレベータ装置は、かご、かごに設けられ、かごガイドレールに案内されながらかごガイドレールに沿ってかごを移動させるガイド装置、かごの上部及び下部の少なくともいずれかに設けられたかご用カバーと、かご用カバーに着脱可能に設けられ、ガイド装置を覆うガイド用カバーとを有する整風カバー、及びかごに設けられ、かご用カバーから取り外されたガイド用カバーを上下方向へ案内するカバーレール装置を備えている。
【発明の効果】
【０００７】
この発明に係るエレベータ装置では、ガイド用カバーがかご用カバーに着脱可能に設けられ、かご用カバーから取り外されたガイド用カバーがカバーレール装置によって上下方向へ案内されるので、ガイド用カバーを運ぶ作業を容易にすることができるとともに、ガイド用カバーを置くスペースも不要とすることができる。これにより、かごでの保守点検の作業効率を向上させることができる。
【図面の簡単な説明】
【０００８】
【図１】この発明の実施の形態１によるエレベータ装置のかごを示す斜視図である。
【図２】図１のかごの上部を示す一部破断背面図である。
【図３】図１のかごの下部を示す一部破断背面図である。
【図４】図２のかごの上部を示す側面図である。
【図５】図４のV-V線に沿った断面図である。
【図６】図１の各上部ガイド用カバー及び各下部ガイド用カバーが上部かご用カバー及び下部かご用カバーから取り外されているときのかごを示す斜視図である。
【図７】図６のかごの上部を示す背面図である。
【図８】図７のかごの上方へ案内された上部ガイド用カバーを示す側面図である。
【図９】図６のかごの下部を示す背面図である。
【発明を実施するための形態】
【０００９】
実施の形態１．
図１は、この発明の実施の形態１によるエレベータ装置のかごを示す斜視図である。また、図２は、図１のかごの上部を示す一部破断背面図である。さらに、図３は、図１のかごの下部を示す一部破断背面図である。図において、昇降路１内には、かご２が懸架体（図示せず）により吊り下げられている。懸架体としては、例えばロープやベルト等が用いられている。かご２は、昇降路１内に設置された一対のかごガイドレール（図示せず）間に配置されている。かご２は、図示しない巻上機の駆動力により、各かごガイドレールに沿って昇降路１内を上下方向へ移動される。
【００１０】
かご２は、かご室３と、かご室３を支持するかご枠４とを有している。かご室３の正面には、一対のかごの戸５により開閉されるかご出入口６が設けられている。かご枠４は、かご室３の下方に配置された下枠７と、かご室３の上方に配置され、懸架体が接続された上枠８と、下枠７及び上枠８の両端部間を結ぶ一対の縦枠９とを有している。かご室３は各縦枠９間に配置されている。
【００１１】
かご枠４の上部には一対の上部ガイド装置１０が設けられ、かご枠４の下部には一対の下部ガイド装置１１が設けられている。各上部ガイド装置１０及び各下部ガイド装置１１は、かごガイドレールに接触しながら転動される複数のガイドローラ１２をそれぞれ有している。
【００１２】
一方の上部ガイド装置１０及び一方の下部ガイド装置１１は、ガイドローラ１２を一方のかごガイドレールに接触させながら一方のかごガイドレールに案内される。他方の上部ガイド装置１０及び他方の下部ガイド装置１１は、ガイドローラ１２を他方のかごガイドレールに接触させながら他方のかごガイドレールに案内される。かご２は、各上部ガイド装置１０及び各下部ガイド装置１１が各かごガイドレールに案内されることにより、各かごガイドレールに沿って上下方向へ移動される。
【００１３】
かご２の上部には、かご２の周囲における気流の乱れを抑制するための上部整風カバー１３が設けられている。かご２の下部には、かご２の周囲における気流の乱れを抑制するための下部整風カバー１４が設けられている。
【００１４】
上部整風カバー１３は、かご室３の正面の上部にかご２の移動方向に沿って設けられた上部エプロン板１５と、上部エプロン板１５に設けられ、かご室３の天井と上枠８とをまとめて覆う上部かご用カバー１６と、上部かご用カバー１６に着脱可能に設けられ、各上部ガイド装置１０を個別に覆う一対の上部ガイド用カバー１７とを有している。
【００１５】
下部整風カバー１４は、かご室３の正面の下部にかご２の移動方向に沿って設けられた下部エプロン板１８と、下部エプロン板１８に設けられ、かご室３の床と下枠７とをまとめて覆う下部かご用カバー１９と、下部かご用カバー１９に着脱可能に設けられ、各下部ガイド装置１１を個別に覆う一対の下部ガイド用カバー２０とを有している。
【００１６】
上部かご用カバー１６、上部ガイド用カバー１７、下部かご用カバー１９及び下部ガイド用カバー２０のそれぞれの形状は、水平断面積がかご室３に近くなるほど連続的に大きくなる流線形状とされている。これにより、かご２の移動時にかご２の周囲に生じる気流の乱れが抑制される。
【００１７】
上部かご用カバー１６の内側（即ち、上部かご用カバー１６とかご室３の天井との間）には、空間が存在している。上部エプロン板１５には、上部かご用カバー１６の内側の空間と外部とを連通する図示しない上部点検口と、上部点検口を開閉する上部点検用ドアとが設けられている。これにより、上部かご用カバー１６の内側の空間に対する保守員の出入りが上部点検口を通して可能になっている。
【００１８】
下部かご用カバー１９の内側（即ち、下部かご用カバー１９とかご室３の床との間）にも、空間が存在している。下部エプロン板１８には、下部かご用カバー１９の内側の空間と外部とを連通する図示しない下部点検口と、下部点検口を開閉する下部点検用ドアとが設けられている。これにより、下部かご用カバー１９の内側の空間に対する保守員の出入りが下部点検口を通して可能になっている。なお、下部かご用カバー１９の内側の空間には、かご室３に支持された足場が設けられている。
【００１９】
上部かご用カバー１６の上部ガイド用カバー１７で覆われる部分には、図２に示すように、上部開口部２１と、上部開口部２１を開閉する上部開閉蓋２２とが設けられている。上部開口部２１は、上部ガイド装置１０の近傍に設けられている。これにより、保守員は、上部かご用カバー１６の内側の空間から上部開口部２１を通して上部ガイド装置１０に到達可能になっている。
【００２０】
上部開閉蓋２２は、上部かご用カバー１６の内側から上部かご用カバー１６に着脱可能になっている。上部開閉蓋２２は、上部かご用カバー１６に取り付けられることにより上部開口部２１を閉じ、上部かご用カバー１６から取り外されることにより上部開口部２１を開く。
【００２１】
下部かご用カバー１９の下部ガイド用カバー２０で覆われる部分には、図３に示すように、下部開口部２３と、下部開口部２３を開閉する下部開閉蓋２４とが設けられている。下部開口部２３は、下部ガイド装置１１の近傍に設けられている。これにより、保守点検員は、下部かご用カバー１９内の空間から下部開口部２３を通して下部ガイド装置１１に到達可能になっている。
【００２２】
下部開閉蓋２４は、下部かご用カバー１９に着脱可能になっている。下部開閉蓋２４は、下部かご用カバー１９に取り付けられることにより下部開口部２３を閉じ、下部かご用カバー１９から取り外されることにより下部開口部２３を開く。
【００２３】
図４は、図２のかご２の上部を示す側面図である。即ち、図４は、図２の矢印IVに沿って見たときの状態を示す図である。上部開閉蓋２２は、上部かご用カバー１６の内面に重ねられた状態で、上部開口部２１を閉じる位置に配置されている。また、上部開閉蓋２２は、上部開口部２１を閉じる位置に配置された状態で、複数の取付ボルト２５により上部かご用カバー１６に取り付けられる。上部かご用カバー１６には、各取付ボルト２５が螺合される複数のねじ穴が設けられている。上部開閉蓋２２は、上部開閉蓋２２を通された各取付ボルト２５が上部かご用カバー１６の内側からねじ穴に螺合されることにより、上部かご用カバー１６に取り付けられる。
【００２４】
下部開閉蓋２４も、上部開閉蓋２２と同様にして、複数の取付ボルト２６（図３）により下部かご用カバー１９に取り付けられる。下部開閉蓋２４は、下部かご用カバー１９の内面に重なった状態で、下部開口部２３を閉じる位置に配置される。
【００２５】
図５は、図４のV-V線に沿った断面図である。上部ガイド用カバー１７は、複数の取付ボルト２７により上部かご用カバー１６に取り付けられている。上部かご用カバー１６には、取付ボルト２７が通される複数の貫通穴１６ａが設けられている。
【００２６】
上部ガイド用カバー１７の縁部には、上部かご用カバー１６に接触する接触部２８が設けられている。接触部２８は、上部ガイド用カバー１７の本体部分から上部ガイド用カバー１７の内側へ突出する板状部である。接触部２８には、取付ボルト２７が通される複数の貫通穴２８ａが設けられている。また、接触部２８には、複数のウェルドナット３０が各貫通穴２８ａの位置に合わせて固定されている。
【００２７】
上部ガイド用カバー１７は、上部かご用カバー１６の内側の空間から貫通穴１６ａ及び貫通穴２８ａの順に通された取付ボルト２７がウェルドナット３０に螺合されることにより、上部かご用カバー１６に取り付けられる。従って、上部かご用カバー１６に対する上部ガイド用カバー１７の着脱は、上部かご用カバー１６の内側の空間での各取付ボルト２７の着脱により行われる。
【００２８】
下部ガイド用カバー２０も、上部ガイド用カバー１７と同様にして、複数の取付ボルトにより下部かご用カバー１９に取り付けられる。従って、下部かご用カバー１９に対する下部ガイド用カバー２０の着脱は、下部かご用カバー１９の内側の空間での取付ボルトの着脱により行われる。
【００２９】
かご室３には、図１に示すように、上部かご用カバー１６から取り外された各上部ガイド用カバー１７と、下部かご用カバー１９から取り外された各下部ガイド用カバー２０とをかご２に対して上下方向へ個別に案内する一対のカバーレール装置３１，３２が設けられている。一方のカバーレール装置３１は、一方の上部ガイド用カバー１７及び一方の下部ガイド用カバー２０をそれぞれ案内する。他方のカバーレール装置３２は、他方の上部ガイド用カバー１７及び他方の下部ガイド用カバー２０をそれぞれ案内する。
【００３０】
一方のカバーレール装置３１は、かご室３の一方の側面に取付金具３５を介して取り付けられた一対のカバーガイドレール３３を有している。各カバーガイドレール３３は、かご室３の奥行き方向について互いに対向した状態で、上下方向に沿って配置されている。一方の上部ガイド用カバー１７及び一方の下部ガイド用カバー２０は、各カバーガイドレール３３間に配置されている。
【００３１】
他方のカバーレール装置３２は、かご室３の他方の側面に取付金具を介して取り付けられた一対のカバーガイドレール３４を有している。各カバーガイドレール３４は、かご室３の奥行き方向について互いに対向した状態で、上下方向に沿って配置されている。他方の上部ガイド用カバー１７及び他方の下部ガイド用カバー２０は、各カバーガイドレール３４間に配置されている。
【００３２】
各カバーガイドレール３３の互いに対向する面、及び各カバーガイドレール３４の互いに対向する面のそれぞれには、レール溝３６がカバーガイドレール３３，３４の長さ方向に沿って設けられている。
【００３３】
各上部ガイド用カバー１７及び各下部ガイド用カバー２０には、図４に示すように、レール溝３６に嵌る樹脂製の摺動部材（ガイドシュー）３７がそれぞれ設けられている。一方の上部ガイド用カバー１７及び一方の下部ガイド用カバー２０は、摺動部材３７が各カバーガイドレール３３のレール溝３６に沿って移動されることにより上下方向へ案内される。他方の上部ガイド用カバー１７及び他方の下部ガイド用カバー２０は、摺動部材３７が各カバーガイドレール３４のレール溝３６に沿って移動されることにより上下方向へ案内される。
【００３４】
図６は、図１の各上部ガイド用カバー１７及び各下部ガイド用カバー２０が上部かご用カバー１６及び下部かご用カバー１９から取り外されているときのかご２を示す斜視図である。図において、上部かご用カバー１６から取り外された各上部ガイド用カバー１７は、押し上げ棒３８で押し上げられることにより、各カバーガイドレール３３，３４に案内されながら上方へ変位される。下部かご用カバー１９から取り外された各下部ガイド用カバー２０は、ロープ３９により吊り下げられた状態で、各カバーガイドレール３３，３４に案内されながら下方へ変位される。
【００３５】
図７は、図６のかご２の上部を示す背面図である。また、図８は、図７のかご２の上方へ案内された上部ガイド用カバー１７を示す側面図である。即ち、図８は、図７の矢印VIIIに沿って見たときの状態を示す図である。なお、図７では、かご２の背面側に位置するカバーガイドレール３３，３４を省略している。各カバーガイドレール３３，３４のそれぞれの上部には、図８に示すように、複数のねじ穴（取付穴）４０がカバーガイドレール３３，３４の長さ方向について互いに間隔を置いて設けられている。各ねじ穴４０は、レール溝３６の底面からカバーガイドレール３３，３４を水平方向へ貫通している。
【００３６】
各カバーガイドレール３３，３４のそれぞれの上部には、各上部ガイド用カバー１７を各カバーガイドレール３３，３４に保持する保持ボルト（保持装置）４１と、各上部ガイド用カバー１７が各カバーガイドレール３３，３４から外れることを防止する外れ防止ボルト４２とが取り付けられる。保持ボルト４１及び外れ防止ボルト４２は、各ねじ穴４０のいずれかに螺合されることにより各カバーガイドレール３３，３４に取り付けられる。また、保持ボルト４１及び外れ防止ボルト４２は、レール溝３６内に突出した状態で各カバーガイドレール３３，３４に取り付けられる。
【００３７】
保持ボルト４１は、最上の位置に存在するねじ穴４０以外の各ねじ穴４０のいずれかに螺合される。各カバーガイドレール３３，３４に案内されながら上方へ変位された各上部ガイド用カバー１７は、摺動部材３７が保持ボルト４１に上方から係合することにより、各カバーガイドレール３３，３４に保持される。
【００３８】
各外れ防止ボルト４２は、最上の位置に存在するねじ穴４０に螺合される。摺動部材３７が外れ防止ボルト４２に下方から当たることにより、各上部ガイド用カバー１７が各カバーガイドレール３３，３４から外れることが防止される。
【００３９】
図９は、図６のかご２の下部を示す背面図である。図において、各下部ガイド用カバー２０には、フック用穴４４が設けられた固定板４３が設けられている。各下部ガイド用カバー２０を吊り下げるロープ３９のそれぞれの端部には、フック用穴４４を通して固定板４３に掛けられるフック４５が設けられている。ロープ３９は、フック４５が固定板４３に掛けられることにより、下部ガイド用カバー２０に接続される。
【００４０】
各カバーガイドレール３３，３４のそれぞれの下部にも、上部と同様に、複数のねじ穴（取付穴）（図示せず）がカバーガイドレール３３，３４の長さ方向について互いに間隔を置いて設けられている。また、各カバーガイドレール３３，３４のそれぞれの下部には、各下部ガイド用カバー２０を各カバーガイドレール３３，３４に保持する図示しない保持ボルト（保持装置）（図示せず）が取り付けられる。保持ボルトは、各ねじ穴のいずれかに螺合されることにより各カバーガイドレール３３，３４に取り付けられる。また、保持ボルトは、レール溝３６内に突出した状態で各カバーガイドレール３３，３４に取り付けられる。
【００４１】
各カバーガイドレール３３，３４に案内されながら下方へ変位された各下部ガイド用カバー２０は、摺動部材が保持ボルトに上方から係合することにより、各カバーガイドレール３３，３４に保持される。
【００４２】
次に、上部ガイド装置１０の保守点検作業を行うときの手順について説明する。上部ガイド装置１０の保守点検作業を行う場合、保守員は、まず上部点検口を開き、上部点検口から、上部かご用カバー１６で覆われたかご室３の天井に乗る。この後、保守員は、上部かご用カバー１６の内側の空間で各取付ボルト２５を外して上部開閉蓋２２を上部かご用カバー１６から取り外す。これにより、上部開口部２１が開放される。このとき、保守員は、各取付ボルト２７も上部かご用カバー１６から外しておく。
【００４３】
この後、保守員は、上部開口部２１から押し上げ棒３８を繰り出しながら、押し上げ棒３８で上部ガイド用カバー１７を押し上げる。これにより、上部かご用カバー１６は、カバーガイドレール３３，３４に案内されながら上方へ変位される。なお、保守員は、押し上げ棒３８を用いずに、上部ガイド用カバー１７を手で持ち上げてもよい。
【００４４】
この後、保守員は、上部ガイド用カバー１７を押し上げ棒３８で支持した状態で、上部ガイド用カバー１７の下方に位置するねじ穴４０に保持ボルト４１を螺合する。この後、上部ガイド用カバー１７の支持を外しながら、上部ガイド用カバー１７の摺動部材３７を保持ボルト４１に載せる。これにより、上部ガイド用カバー１７は、上部かご用カバー１６から上方へ離れた位置でカバーガイドレール３３，３４に保持される。なお、カバーガイドレール３３，３４の上端部には、上部ガイド用カバー１７がカバーガイドレール３３，３４から外れることを防止するために、外れ防止ボルト４２を取り付けておく。
【００４５】
この後、上部かご用カバー１６の内側の保守員は、上部開口部２１を通して上部ガイド装置１０の保守点検作業（例えば上部ガイド装置１０の交換等）を行う。
【００４６】
上部ガイド装置１０の保守点検作業の完了後、保守員は、上記と逆の手順により、上部ガイド用カバー１７及び上部開閉蓋２２を上部かご用カバー１６に取り付ける。この後、保守員は、上部かご用カバー１６の内側から上部点検口を通って外へ出る。
【００４７】
次に、下部ガイド装置１１の保守点検作業を行うときの手順について説明する。下部ガイド装置１１の保守点検作業を行う場合、保守員は、まず下部点検口を開き、下部点検口から、下部かご用カバー１９で覆われた足場に乗る。この後、保守員は、下部かご用カバー１９の内側の空間で各取付ボルト２６を外して下部かご用カバー１９から下部開閉蓋２４を取り外す。これにより、下部開口部２３が開放される。
【００４８】
この後、保守員は、固定板４３にフック４５を掛けて、下部ガイド用カバー２０にロープ３９を接続する。この後、このとき、保守員は、下部かご用カバー１９に下部ガイド用カバー２０を取り付けている各取付ボルトを外す。これにより、下部ガイド用カバー２０が下部かご用カバー１９から取り外され、下部ガイド用カバー２０がロープ３９により吊り下げられる。
【００４９】
この後、保守員は、下部ガイド用カバー２０をロープ３９で吊り下げながら、ロープ３９を下部開口部２３から繰り出す。これにより、下部ガイド用カバー２０は、カバーガイドレール３３，３４に案内されながら下方へ変位される。
【００５０】
この後、保守員は、下部ガイド用カバー２０をロープ３９で吊り下げた状態で、下部ガイド用カバー２０の下方に位置するねじ穴に保持ボルトを螺合する。この後、保守員は、ロープ３９をさらに繰り出して、下部ガイド用カバー２０の摺動部材を保持ボルトに載せる。これにより、下部ガイド用カバー２０は、下部かご用カバー１９から下方へ離れた位置でカバーガイドレール３３，３４に保持される。
【００５１】
この後、下部かご用カバー１９の内側の保守員は、下部開口部２３を通して下部ガイド装置１１の保守点検作業を行う。
【００５２】
下部ガイド装置１１の保守点検作業の完了後、保守員は、上記と逆の手順により、下部ガイド用カバー２０及び下部開閉蓋２４を下部かご用カバー１９に取り付ける。この後、保守員は、下部かご用カバー１９の内側から下部点検口を通って外へ出る。
【００５３】
このようなエレベータ装置では、上部ガイド用カバー１７及び下部ガイド用カバー２０が上部かご用カバー１６及び下部かご用カバー１９に着脱可能に設けられ、上部かご用カバー１６及び下部かご用カバー１９から取り外された上部ガイド用カバー１７及び下部ガイド用カバー２０が各カバーレール装置３１，３２によって上下方向へ案内されるので、上部ガイド用カバー１７及び下部ガイド用カバー２０を運ぶ作業を容易にすることができるとともに、上部ガイド用カバー１７及び下部ガイド用カバー２０を置くスペースも不要とすることができる。これにより、かご２での上部ガイド装置１０及び下部ガイド装置１１の保守点検の作業効率を向上させることができる。
【００５４】
また、上部かご用カバー１６の上部ガイド用カバー１７で覆われる部分には上部開口部２１と、上部開口部２１を開閉する上部開閉蓋２２とが設けられ、下部かご用カバー１９の下部ガイド用カバー２０で覆われる部分には下部開口部２３と、下部開口部２３を開閉する下部開閉蓋２４とが設けられているので、かご２の上部又は下部に乗った保守員が上部開口部２１又は下部開口部２３を通して上部ガイド装置１０又は下部ガイド装置１１に達することができる。これにより、かご２の上部又は下部に乗ったまま、上部ガイド装置１０又は下部ガイド装置１１の保守点検作業を行うことができる。従って、上部ガイド装置１０及び下部ガイド装置１１の保守点検作業を行うために昇降路１内に足場を組む必要がなくなり、かご２での保守点検の作業効率をさらに向上させることができる。
【００５５】
また、カバーガイドレール３３，３４には、上部かご用カバー１６から取り外された上部ガイド用カバー１７と、下部かご用カバー１９から取り外された下部ガイド用カバー２０とを保持する保持ボルトが取り付けられるので、上部かご用カバー１６から上方へ離れた位置で上部ガイド用カバー１７を保持することができ、下部かご用カバー１９から下方へ離れた位置で下部ガイド用カバー２０を保持することができる。これにより、保守点検作業の邪魔にならない位置に上部ガイド用カバー１７及び下部ガイド用カバー２０を保持しておくことができ、かご２での保守点検の作業効率をさらに向上させることができる。
【００５６】
なお、上記の例では、保持ボルト４１及び外れ防止ボルト４２を取り付けるためのねじ穴４０が各カバーガイドレール３３，３４に設けられているが、ねじ穴４０ではなく、内面が滑らかなボルト通し穴を各カバーガイドレール３３，３４に設けてもよい。この場合、保持ボルト４１及び外れ防止ボルト４２は、ボルト通し穴に差し込まれることにより各カバーガイドレール３３，３４に取り付けられる。
【００５７】
また、上記の例では、保持ボルト４１が保持装置として各カバーガイドレール３３，３４に取り付けられるようになっているが、これに限定されず、例えばピンやしゃこ万力等を保持装置として各カバーガイドレール３３，３４に取り付けるようにしてもよい。
【００５８】
また、上記の例では、上部ガイド用カバー１７が各カバーガイドレール３３，３４から外れることを防止するために、外れ防止ボルト４２が各カバーガイドレール３３，３４に取り付けられるようになっているが、例えばピンやしゃこ万力等を各カバーガイドレール３３，３４に取り付けることにより、上部ガイド用カバー１７の外れを防止するようにしてもよい。また、上部ガイド用カバー１７が各カバーガイドレール３３，３４から外れる可能性が低いのであれば、外れ防止ボルト４２はなくてもよい。
【００５９】
また、上記の例では、下部ガイド用カバー２０に設けられた固定板４３にフック４５が掛けられることにより、ロープ３９が下部ガイド用カバー２０に接続されるようになっているが、ロープ３９を下部ガイド用カバー２０に着脱可能であれば、これに限定されない。例えば、環状のスリーブをロープ３９の端部に取り付け、スリーブに通されたボルトを下部ガイド用カバー２０に螺合することにより、ロープ３９を下部ガイド用カバー２０に接続するようにしてもよい。
【００６０】
また、上記の例では、各カバーガイドレール３３，３４がかご室３に取り付けられているが、各カバーガイドレール３３，３４はかご２に設けられていればよく、例えば、各カバーガイドレール３３，３４をかご枠４に取り付けてもよい。
【００６１】
また、上記の例では、かご２の上部に上部整風カバー１３が設けられ、かご２の下部に下部整風カバー１４が設けられたエレベータ装置にこの発明が適用されているが、かご２の上部及び下部のいずれかにのみ整風カバーが設けられたエレベータ装置にこの発明を適用してもよい。
【符号の説明】
【００６２】
２  かご、１０  上部ガイド装置、１１  下部ガイド装置、１３  上部整風カバー、１４  下部整風カバー、１６  上部かご用カバー、１７  上部ガイド用カバー、１９  下部かご用カバー、２０  下部ガイド用カバー、２１  上部開口部、２２  上部開閉蓋、２３  下部開口部、２４  下部開閉蓋、４１  保持ボルト（保持装置）。
【図１】
2011162323.tif 000003
【図２】
2011162323.tif 000004
【図３】
2011162323.tif 000005
【図４】
2011162323.tif 000006
【図５】
2011162323.tif 000007
【図６】
2011162323.tif 000008
【図７】
2011162323.tif 000009
【図８】
2011162323.tif 000010
【図９】
2011162323.tif 000011